(57)【特許請求の範囲】
【請求項１】
ネットワークを介して接続された通信端末装置と連動し、ユーザが開催するパーティに関する情報として、少なくとも現実空間内のパーティの開催位置を示すパーティ位置情報を含むパーティ情報と、当該パーティの参加ユーザを特定するための参加ユーザ情報と、を取得するパーティ情報取得手段と、
前記取得したパーティ情報及び参加ユーザ情報を対応付けて第１のデータベースに登録するパーティ情報登録手段と、
前記登録したパーティ情報に対応付けて、他のユーザが閲覧可能に、該当する参加ユーザによって投稿された投稿情報を第２のデータベースに登録する投稿情報登録手段と、
前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記特定パーティ情報のパーティの開催位置から所定の距離範囲内に存在する前記施設を抽出施設として抽出する施設抽出手段と、
前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段と、
前記特定されたパーティ情報に対応付けられた投稿情報を前記第２のデータベースから抽出する投稿情報抽出手段と、
前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段と、
前記生成した推薦情報を前記通信端末装置に配信する配信手段と、
を備えることを特徴とするサーバ装置。
【請求項２】
請求項１に記載のサーバ装置において、
前記第１のデータベースに登録された各パーティ情報には、パーティの開催日時を規定する日時情報が含まれ、
前記パーティ特定手段が、予め定める時期的条件をさらに具備するパーティ情報を特定する、サーバ装置。
【請求項３】
請求項１又は２に記載のサーバ装置において、
前記特性情報が、対応する施設の特徴を示すキーワードであり、
前記生成手段が、前記投稿情報に対応する文字列と前記キーワードとの一致度を算出し、当該算出した一致度が所定の条件を具備する前記施設を推薦施設とする推薦情報を生成するサーバ装置。
【請求項４】
請求項１〜３のいずれか一項に記載のサーバ装置において、
前記パーティ特定手段が、前記特定パーティ情報の参加ユーザが完全に一致するパーティを特定する、サーバ装置。
【請求項５】
請求項１〜４のいずれか一項に記載のサーバ装置において、
前記通信端末装置から所定の距離範囲内に存在する他の通信端末装置による所定のパーティへの参加申請に基づいて、該当するパーティ情報の前記参加ユーザ情報を更新する更新手段を更に備える、サーバ装置。
【請求項６】
請求項５に記載のサーバ装置において、
前記第１のデータベースには、各パーティ情報に登録された参加ユーザに既に推薦した施設情報が推薦済み施設情報として登録されており、
前記施設抽出手段が、前記抽出施設を抽出する際に、前記要求したユーザが過去に参加したパーティのパーティ情報に対応付けられて推薦済み施設情報として既に登録された施設を抽出対象から除外する、サーバ装置。
【請求項７】
ネットワークを介して接続された通信端末装置と連動するサーバ装置のプログラムであって、
前記サーバ装置を、
前記通信端末装置と連動し、ユーザが開催するパーティに関する情報として、少なくとも現実空間内のパーティの開催位置を示すパーティ位置情報を含むパーティ情報と、当該パーティの参加ユーザを特定するための参加ユーザ情報と、を取得するパーティ情報取得手段、
前記取得したパーティ情報及び参加ユーザ情報を対応付けて第１のデータベースに登録するパーティ情報登録手段、
前記登録したパーティ情報に対応付けて、他のユーザが閲覧可能に、該当する参加ユーザによって投稿された投稿情報を第２のデータベースに登録する投稿情報登録手段、
前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記特定パーティ情報のパーティの開催位置から所定の距離範囲内に存在する前記施設を抽出施設として抽出する施設抽出手段、
前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段、
前記特定されたパーティ情報に対応付けられた投稿情報を前記第２のデータベースから抽出する投稿情報抽出手段、
前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段、及び
前記生成した推薦情報を前記通信端末装置に配信する配信手段、
として機能させることを特徴とするプログラム。
【請求項８】
通信端末装置と、
ネットワークを介して接続された前記通信端末装置と連動するサーバ装置と、
を備え、
前記サーバ装置が、
前記通信端末装置と連動し、ユーザが開催するパーティに関する情報として、少なくとも現実空間内のパーティの開催位置を示すパーティ位置情報を含むパーティ情報と、当該パーティの参加ユーザを特定するための参加ユーザ情報と、を取得するパーティ情報取得手段と、
前記取得したパーティ情報及び参加ユーザ情報を対応付けて第１のデータベースに登録するパーティ情報登録手段と、
前記登録したパーティ情報に対応付けて、他のユーザが閲覧可能に、該当する参加ユーザによって投稿された投稿情報を第２のデータベースに登録する投稿情報登録手段と、
前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記特定パーティ情報のパーティの開催位置から所定の距離範囲内に存在する前記施設を抽出施設として抽出する施設抽出手段と、
前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段と、
前記特定されたパーティ情報に対応付けられた投稿情報を前記第２のデータベースから抽出する投稿情報抽出手段と、
前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段と、
前記生成した推薦情報を前記通信端末装置に配信する配信手段と、
と備えることを特徴とする通信システム。
【発明の詳細な説明】
【技術分野】
【０００１】
本発明は、通信端末装置と連動して情報を提供するサーバ装置、プログラム及び通信システムに関する。
【背景技術】
【０００２】
近年、ソーシャルネットワーキングサービス（以下「ＳＮＳ」という。）と、スマートフォンなどに代表される携帯用通信端末装置との登場により、情報発信、または、友人・知人をはじめとする他人との情報共有などを手軽に行うことができるようになってきている。
【０００３】
一方、最近では、携帯用通信端末装置を情報端末として手軽に利用できる環境も整備され、携帯用通信端末装置の位置情報に基づいて各種の情報が提供されるサービスも登場している。特に、最近では、携帯用通信端末装置の現在位置の情報に基づいて広告情報を提供しつつ、お勧めの店舗情報を推薦するシステム（例えば、特許文献１）、または、店舗に設けられ、ジャンル毎にグループ化された店舗情報を配信し、携帯用通信端末装置によって容易に店舗を検索することができるシステムも登場している（例えば、特許文献２）。
【先行技術文献】
【特許文献】
【０００４】
【特許文献１】特開平１１−２１２９９９号公報
【特許文献２】特開２００５−２５８７７０号公報
【発明の概要】
【発明が解決しようとする課題】
【０００５】
しかしながら、上記特許文献に開示されたシステムにあっては、位置情報に基づいて店舗を推薦するシステムまたは携帯用通信端末装置で店舗情報を容易に検索可能なシステムであるものの、会合や集会などの現実空間上におけるユーザの実際の行動に基づいて、当該ユーザに有益な各種の情報を提供してはいない。
【０００６】
また、上記のシステムにあっては、現実空間上におけるユーザ間のコミュニケーションの状況変化に合わせて当該ユーザに有益な各種の情報を提供してはいない。
【０００７】
本発明は、上記課題を解決するためになされたものであり、その目的は、現実空間上におけるユーザの実際の行動又はユーザ間のコミュニケーションに基づいて、当該ユーザの嗜好に合致する施設を的確に推薦することができるとともに、当該推薦された情報に基づいて、現実空間または仮想空間におけるユーザ間の交流を支援することができるサーバ装置等を提供することにある。
【課題を解決するための手段】
【０００８】
（１）上述した課題を解決するため、本発明のサーバ装置は、ネットワークを介して接続された通信端末装置と連動し、ユーザが開催するパーティに関する情報として、少なくとも現実空間内のパーティの開催位置を示す開催位置情報を含むパーティ情報と、当該パーティの参加ユーザを特定するための参加ユーザ情報と、を取得するパーティ情報取得手段と、前記取得したパーティ情報及び参加ユーザ情報を対応付けて第１のデータベースに登録するパーティ情報登録手段と、前記登録したパーティ情報に対応付けて、他のユーザが閲覧可能に、該当する参加ユーザによって投稿された投稿情報を第２のデータベースに登録する投稿情報登録手段と、前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記取得したパーティ情報のパーティの開催位置から所定の距離範囲内に存在する前記施設を抽出施設として抽出する施設抽出手段と、前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段と、前記特定されたパーティ情報に対応付けられた投稿情報を前記第２のデータベースから抽出する投稿情報抽出手段と、前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段と、前記生成した推薦情報を前記通信端末装置に配信する配信手段と、を備える構成を有している。
【０００９】
通常、各ユーザが投稿する投稿情報には、当該ユーザの嗜好が表されていると考えられる。したがって、当該パーティの参加ユーザによる、投稿情報の内容と施設の特性が一致すれば、当該施設はユーザの嗜好に合致しているものといえる。一方、全く異なる他のユーザが投稿した投稿情報からは、参加ユーザの嗜好を認識することができず、参加ユーザの嗜好を認識するためには、少なくとも一部の参加ユーザが一致するパーティに対応する投稿情報を利用する必要がある。
【００１０】
本発明のサーバ装置は、上記の構成により、参加ユーザの少なくとも一部が一致する特定パーティを特定して、当該特定パーティに対応する投稿情報と施設の特性情報を比較することができるので、例えば、ユーザによって開催された現実空間上におけるパーティの開催位置から所定の距離範囲(例えば１ｋｍ圏内)に存在する施設の中から、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができる。
【００１１】
（２）また、本発明のサーバ装置は、前記第１のデータベースに登録された各パーティ情報には、パーティの開催日時を規定する日時情報が含まれ、前記パーティ特定手段が、予め定める時期的条件をさらに具備するパーティ情報を特定する、構成を有している。
【００１２】
この構成により、本発明のサーバ装置は、過去に開催された各パーティの中から、新たに開催するパーティから所定の期間前（例えば、過去１ヶ月以内）に開催された過去のパーティ（すなわち、終了しているパーティ）を特定し、例えば、新鮮な情報に基づいて推薦情報を提供することができるので、ユーザの嗜好が一致する推薦施設をいち早く推薦すること、または、推薦施設から既にユーザの興味が低下した施設を推薦対象から除外することができる。
【００１３】
したがって、本発明のサーバ装置は、ユーザの嗜好に合致した有用な施設のみを適切に推薦することができる。
【００１４】
（３）また、本発明のサーバ装置は、前記特性情報が、対応する施設の特性を示すキーワードであり、前記比較手段が、前記投稿情報に対応する文字列と前記キーワードとの一致度を算出し、前記生成手段が、当該算出された前記一致度が所定の条件を具備する前記施設を推薦施設とする、構成を備えている。
【００１５】
この構成により、本発明のサーバ装置は、文字列、または、形態素解析などの解析処理によって文字列に変換可能な音声などの情報を含むので、単に文字列を比較するような、簡潔な検索方式を採用しつつ、確実にユーザの嗜好に合致する推薦情報の検索することができる。
【００１６】
（４）また、本発明のサーバ装置は、前記パーティ特定手段が、当該パーティと参加ユーザが完全に一致するパーティを特定する、構成を有している。
【００１７】
この構成により、本発明のサーバ装置は、より正確、かつ、パーティに参加するユーザ全員の嗜好に合致する施設を推薦することができる。
【００１８】
（５）また、本発明のサーバ装置は、前記通信端末装置から所定の距離範囲内に存在する他の通信端末装置による所定のパーティへの参加申請に基づいて、該当するパーティ情報の前記参加ユーザ情報を更新する更新手段を更に備える、構成を有している。
【００１９】
この構成により、本発明のサーバ装置は、開催されるパーティに対してパーティの開始後に他のユーザが参加する場合においても、適宜、参加ユーザ情報を更新することができるので、パーティに途中参加するユーザの嗜好をも柔軟に取り込みつつ、ユーザの嗜好に合致する施設を推薦することができる。
【００２０】
（６）また、本発明のサーバ装置は、前記第１のデータベースには、各パーティ情報に登録された参加ユーザに既に推薦した施設情報が推薦済み施設情報として登録されており、前記施設抽出手段が、前記抽出施設を抽出する際に、前記要求したユーザが過去に参加したパーティのパーティ情報に対応付けられて推薦済み施設情報として既に登録された施設を抽出対象から除外する、構成を有している。
【００２１】
この構成により、本発明のサーバ装置は、過去に開催されたパーティと同一のユーザによって新規にパーティが開催される場合であっても、既に推薦済みの施設を推薦対象から除外して、重複推薦を防止し、有益な推薦情報を提供することができる。
【００２２】
（７）また本発明のサーバ装置は、抽出手段が、当該グループと所属ユーザが完全に一致する過去グループのグループ情報と対応付けて登録された前記施設識別情報に対応する前記施設情報を抽出対象から除外する構成を有している。
【００２３】
この構成により、本発明のサーバ装置は、当該パーティと参加者が完全一致する場合に、同一のユーザによって新規にパーティが開催される場合であっても、既に推薦済みの施設を推薦対象から除外して、重複推薦を防止するとともに、無駄な処理を削減することができる。
【００２４】
（８）上述した課題を解決するため、本発明のプログラムは、ネットワークを介して接続された通信端末装置と連動するサーバ装置のプログラムであって、前記サーバ装置を、前記通信端末装置と連動し、ユーザが開催するパーティに関する情報として、少なくとも現実空間内のパーティの開催位置を示すパーティ位置情報を含むパーティ情報と、当該パーティの参加ユーザを特定するための参加ユーザ情報と、を取得するパーティ情報取得手段、前記取得したパーティ情報及び参加ユーザ情報を対応付けて第１のデータベースに登録するパーティ情報登録手段、前記登録したパーティ情報に対応付けて、他のユーザが閲覧可能に、該当する参加ユーザによって投稿された投稿情報を第２のデータベースに登録する投稿情報登録手段、前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記取得したパーティ情報のパーティの開催位置から所定の距離範囲内に存在する前記施設を抽出施設として抽出する施設抽出手段、前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段、前記特定されたパーティ情報に対応付けられた投稿情報を前記第２のデータベースから抽出する投稿情報抽出手段、前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段、及び、前記生成した推薦情報を前記通信端末装置に配信する配信手段、として機能させる構成を有している。
【００２５】
通常、各ユーザが投稿する投稿情報には、当該ユーザの嗜好が表されていると考えられる。したがって、当該パーティの参加ユーザによる、投稿情報の内容と施設の特性が一致すれば、当該施設はユーザの嗜好に合致しているものといえる。一方、全く異なる他のユーザが投稿した投稿情報からは、参加ユーザの嗜好を認識することができず、参加ユーザの嗜好を認識するためには、少なくとも一部の参加ユーザが一致するパーティに対応する投稿情報を利用する必要がある。
【００２６】
本発明のプログラムは、上記の構成により、参加ユーザの少なくとも一部が一致する特定パーティを特定して、当該特定パーティに対応する投稿情報と施設の特性情報を比較することができるので、例えば、ユーザによって開催された現実空間上におけるパーティの開催位置から所定の距離範囲(例えば１ｋｍ圏内)に存在する施設の中から、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができる。
【００２７】
（９）上述した課題を解決するため、本発明のサーバ装置は、通信端末装置と、ネットワークを介して接続された前記通信端末装置と連動するサーバ装置と、を備え、前記サーバ装置が、前記通信端末装置と連動し、ユーザが開催するパーティに関する情報として、少なくとも現実空間内のパーティの開催位置を示すパーティ位置情報を含むパーティ情報と、当該パーティの参加ユーザを特定するための参加ユーザ情報と、を取得するパーティ情報取得手段と、前記取得したパーティ情報及び参加ユーザ情報を対応付けて第１のデータベースに登録するパーティ情報登録手段と、前記登録したパーティ情報に対応付けて、他のユーザが閲覧可能に、該当する参加ユーザによって投稿された投稿情報を第２のデータベースに登録する投稿情報登録手段と、前記通信端末装置を介して一のユーザの情報提供の要求を受け付けた場合に、現実空間上に存在する施設の位置を示す施設位置及び当該施設の特性を示す特性情報を少なくとも含む施設情報が登録される施設データベースを、当該要求したユーザによって特定される特定パーティ情報に基づいて検索し、前記取得したパーティ情報のパーティの開催位置から所定の距離範囲内に存在する前記施設を抽出施設として抽出する施設抽出手段と、前記特定パーティ情報に基づいて前記第１のデータベースを検索し、前記特定パーティ情報のパーティの開催以前に開催されたパーティであって、当該特定パーティ情報のパーティへの参加ユーザと少なくとも一部の参加ユーザが一致するパーティ情報を特定するパーティ特定手段と、前記特定されたパーティ情報に対応付けられた投稿情報を前記第２のデータベースから抽出する投稿情報抽出手段と、前記抽出した投稿情報と前記抽出施設の施設情報に含まれる前記特性情報と、を比較し、所定の条件を満たす前記抽出施設を特定し、当該特定した抽出施設を推薦施設とする推薦情報を生成する生成手段と、前記生成した推薦情報を前記通信端末装置に配信する配信手段と、
と備える構成を有している。
【００２８】
通常、各ユーザが投稿する投稿情報には、当該ユーザの嗜好が表されていると考えられる。したがって、当該パーティの参加ユーザによる、投稿情報の内容と施設の特性が一致すれば、当該施設はユーザの嗜好に合致しているものといえる。一方、全く異なる他のユーザが投稿した投稿情報からは、参加ユーザの嗜好を認識することができず、参加ユーザの嗜好を認識するためには、少なくとも一部の参加ユーザが一致するパーティに対応する投稿情報を利用する必要がある。
【００２９】
本発明の通信システムは、上記の構成により、参加ユーザの少なくとも一部が一致する特定パーティを特定して、当該特定パーティに対応する投稿情報と施設の特性情報を比較することができるので、例えば、ユーザによって開催された現実空間上におけるパーティの開催位置から所定の距離範囲(例えば１ｋｍ圏内)に存在する施設の中から、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができる。
【発明の効果】
【００３０】
本発明のサーバ装置、及び、プログラム、通信システムは、参加ユーザの少なくとも一部が一致する特定パーティを特定して、当該特定パーティに対応する投稿情報と施設の特性情報を比較することができるので、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができる。
【図面の簡単な説明】
【００３１】
【図１】本発明に係る通信システムの一実施形態における構成を示す構成図である。
【図２】一実施形態における通信システムの動作概要を示す概念図である。
【図３】一実施形態の通信端末装置の構成を示す構成図である。
【図４】一実施形態の通信端末装置において、記録部に記憶された参加パーティ管理テーブルのデータ構成の一例を示す図である。
【図５】一実施形態の情報提供サーバ装置の構成を示す構成図である。
【図６】一実施形態における情報提供サーバ装置のＳＮＳ管理データベースに記録されるデータの一例を示す図である。
【図７】一実施形態における情報提供サーバ装置のパーティ情報データベースに記録されるデータの一例を示す図である。
【図８】一実施形態における情報提供サーバ装置の施設情報データベースに記録されるデータの一例を示す図である。
【図９】一実施形態における情報提供サーバ装置のコメントデータデータベースに記録されるデータの一例を示す図である。
【図１０】一実施形態における情報提供サーバ装置の画像データベースに記録されるデータの一例を示す図である。
【図１１】一実施形態の通信端末装置及び情報提供サーバ装置において実行されるパーティ登録処理に関する各処理を示すフローチャート（その１）である。
【図１２】一実施形態の通信端末装置及び情報提供サーバ装置において実行されるパーティ参加処理に関する各処理を示すフローチャート（その２）である。
【図１３】一実施形態の通信端末装置及び情報提供サーバ装置において実行される参加登録処理に関する各処理を示すフローチャート（その１）である。
【図１４】一実施形態の通信端末装置及び情報提供サーバ装置において実行される参加登録処理に関する各処理を示すフローチャート（その２）である。
【図１５】一実施形態の情報提供サーバ装置における推薦情報提供処理を示すフローチャートである。
【発明を実施するための形態】
【００３２】
以下、本発明の実施形態について、図面を参照しながら説明する。なお、以下の実施形態は、通信端末装置と、当該通信端末装置とネットワークを介して接続され情報提供サーバ装置と、を有する通信システムに対し、本発明に係るサーバ装置、プログラム及び通信システムを適用した場合の実施形態である。
【００３３】
［１］通信システムの概要
まず、図１及び図２を用いて本実施形態における通信システム１の構成及び概要について説明する。
【００３４】
なお、図１は、本実施形態における通信システム１の構成を示すブロック図であり、図２は、本実施形態における通信システム１の動作概要を示す概念図である。また、図が煩雑になることを防止するために、図１においては、一部のユーザのみを示している。すなわち、実際の通信システム１においては、表示するよりも多数の通信端末装置１０が存在している。
【００３５】
本実施形態の通信システム１は、図１に示すように、各々異なるユーザにより所持される複数の通信端末装置１０と、ネットワーク２０と、ネットワーク２０を介して各通信端末装置１０に通信接続される情報提供サーバ装置３０と、により構成される。
【００３６】
なお、ネットワーク２０は、例えば、携帯電話網を含む公衆電話回線網（以下、「長距離通信ネットワーク」という。）と、ＩＰ（Ｉｎｔｅｒｎｅｔ  Ｐｒｏｔｏｃｏｌ）ネットワークが相互接続されて構成されている。ただし、当該ネットワーク２０の構成は、これに限られない。
【００３７】
本実施形態の通信システム１は、飲食店またはイベント会場などの所定の場所（以下、「パーティ開催会場」という。）Ｘにおいてユーザが集う集会（以下、「パーティ」という。）に関する情報（以下、「パーティ情報」という。）を当該パーティの開催時に情報提供サーバ装置３０に新規登録し、または、既に登録されたパーティへの参加申請をし、当該登録された情報に基づいて、当該パーティに参加したユーザ（以下、「参加ユーザ」という。）の趣味嗜好に合致する施設を推薦する情報（以下、「推薦情報」という。）を当該パーティへの参加ユーザに提供するためのシステムである。
【００３８】
また、本実施形態の通信端末装置１は、ユーザが自身の嗜好に合致する施設を容易に見つけ出す手法を提供するとともに、提供された推薦情報に基づいて、現実社会におけるユーザ間の交流、または、ＳＮＳなどの仮想空間における交流を活性化させることができるようになっている。
【００３９】
特に、通信システム１は、飲食店などのユーザの嗜好に合致する施設を推薦情報として提供することによって新たな情報の提供サービス（以下、単に、「情報提供サービス」という。）を実現するためのシステムであって、さらにＳＮＳの各機能と連動することが可能なシステムである。
【００４０】
なお、ＳＮＳの機能には、ＳＮＳを介して実行される画像投稿機能、画像共有機能、コメント投稿機能、メッセージ交換機能及びチェックイン機能などを含むが、ＳＮＳの機能に関しては、公知であるため説明を省略する。
【００４１】
通信端末装置１０は、例えば、デジタルカメラ、タブレット型情報端末装置、スマートフォン、または、携帯用電話機であり、通信機能及びＧＰＳ（Ｇｌｏｂａｌ  Ｐｏｓｉｔｉｏｎｉｎｇ  Ｓｙｓｔｅｍ）機能を有し、かつ、ユーザによって携帯可能な通信端末装置１０である。
【００４２】
また、この通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷ（Ｗｏｒｌｄ  Ｗｉｄｅ  Ｗｅｂ）システム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、情報提供サーバ装置３０とのデータ通信を行うブラウジング機能を有している。
【００４３】
そして、通信端末装置１０は、ＳＮＳの種々の機能を利用するために、または、情報提供を受けるために、予め定められたユーザ毎に固有の識別情報（以下、「ユーザＩＤ」という。）を用いている。また、通信端末装置１０は、ブラウジング機能を用いて、情報提供サーバ装置３０から受信したＸＭＬデータに基づいて、情報提供サーバ装置３０とのデータの授受を行いつつ、情報提供サーバ装置３０から提供されるＳＮＳのサービスなど、種々のデータ通信を行うことができるように構成されている。
【００４４】
特に、通信端末装置１０は、ユーザが新規にパーティを登録する際に、情報提供サーバ装置３０に対して、当該パーティの名称及びパーティの開催位置を表す開催位置情報と、パーティに参加する参加ユーザの情報（以下、「参加ユーザ情報」という。）と、当該パーティを通信システム１において一意に特定するためのパーティＩＤと、パーティの開始時刻や終了時刻などの日時情報からなるパーティ日時情報と、を含むパーティ情報を情報提供サーバ装置３０に新規登録できるように構成されている。
【００４５】
具体的には、通信端末装置１０は、パーティ開催会場Ｘの位置としてＧＰＳを用いて取得した自機の位置情報と、自機のユーザに対応するユーザＩＤを参加ユーザ情報として情報提供サーバ装置３０に提供しつつ、パーティ毎に、当該パーティに対応したパーティ情報を情報提供サーバ装置３０に新規登録することができるように構成されている。
【００４６】
また、通信端末装置１０は、ＧＰＳを用いて取得した自機の位置情報を情報提供サーバ装置３０に提供しつつ、情報提供サーバ装置３０に既に登録されたパーティに、自機を有するユーザの参加申請を実行し、当該ユーザのユーザＩＤを参加ユーザ情報として追加登録することができるように構成されている。
【００４７】
そして、通信端末装置１０は、登録されたパーティ情報に基づいて、情報提供サーバ装置３０において生成された推薦情報を情報提供サーバ装置３０から取得して、推薦施設の一覧等をユーザに閲覧可能に表示することができるようになっている。
【００４８】
情報提供サーバ装置３０は、ネットワーク２０に接続されたコンピュータシステムであり、ネットワーク２０を介して複数の通信端末装置１０と通信接続されるともに、当該接続された各通信端末装置１０から情報を収集し、かつ、当該各通信端末装置１０に情報を提供するサーバ装置である。
【００４９】
なお、この情報提供サーバ装置３０はＳＮＳのサービス提供サーバと別個に設けるようにしてもよいが、本実施形態においては、情報提供サーバ装置３０が、ＳＮＳのサービス提供機能も兼ねているものとして説明を行う。
【００５０】
具体的には、情報提供サーバ装置３０は、通信端末装置１０と連動し、パーティ情報をデータベース（以下。「ＤＢ」という。）に登録するとともに、所与のタイミングにて、登録した一のパーティ情報（以下、「特定パーティ情報」という。）に含まれる開催位置情報に基づき、当該パーティが開催されている現実空間上の位置から所定の距離範囲（例えば半径１ｋｍの圏内）に存在する施設を抽出するようになっている。
【００５１】
また、情報提供サーバ装置３０は、当該決定された施設に基づき推薦情報を生成し、該当する通信端末装置１０（すなわち、当該パーティへの参加ユーザの通信端末装置１０）に配信する構成を有している。
【００５２】
情報提供サーバ装置３０は、ＳＮＳのサービスを通して通信端末装置１０から単独または画像とともに投稿された画像に付随するまたは単独のコメントの情報（すなわち、投稿情報）を各パーティ情報に対応付けてデータベースに登録するとともに、登録した参加ユーザ情報に基づいて、当該参加者ユーザが参加したパーティの投稿情報と、抽出した施設情報に含まれ、当該施設の特性を示すキーワードと、の一致度を算出し、当該一致度が所定の条件を具備する施設を推薦対象として特定する構成を有している。
【００５３】
通常、各ユーザが投稿するコメントの情報（以下、「コメントデータ」ともいう。）には、当該ユーザの嗜好が表されていると考えられる。したがって、当該パーティの参加ユーザによる、コメントデータの内容と施設の特性が一致すれば、当該施設はユーザの嗜好に合致しているものといえる。一方、全く異なる他のユーザが投稿したコメントデータからは、参加ユーザの嗜好を認識することができず、参加ユーザの嗜好を認識するためには、少なくとも一部の参加ユーザが一致するパーティに対応する投稿情報を利用する必要がある。
【００５４】
そこで、情報提供サーバ装置３０は、参加ユーザの少なくとも一部が一致するパーティを特定して、当該特定したパーティに対応するコメントデータと施設の特性情報（例えば、予め登録されたキーワード）を比較することができるので、ユーザによって開催された現実空間上におけるパーティの開催位置から所定の距離範囲(例えば１ｋｍ圏内)に存在する施設の中から、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができるようになっている。
【００５５】
例えば、図２に示すように、通信端末装置１０を用いて、情報提供サーバ装置３０に、ユーザＡが「○○駅」周辺にある居酒屋「Ｐ」で開始時刻及び終了時刻が「１９時−２１時」として新規なパーティ「パーティ１」のパーティ情報を新規登録した場合を想定し、「パーティ１」の開催中にユーザＢの参加申請がされた状況を想定する。
【００５６】
この場合には、情報提供サーバ装置３０は、居酒屋「Ｐ」から所定の距離範囲内に存在する（この場合、○○駅周辺に存在する）施設（「Ｑ」「Ｒ」「Ｓ」「Ｆ」「Ｄ」）を抽出施設として抽出するとともに、「パーティ１」以前に開催されたパーティであっての参加ユーザの少なくとも一部が一致するパーティとして「パーティ３」を特定する。そして、情報提供サーバ装置３０は、「パーティ３」に対応するコメントと、抽出した抽出施設に特性情報として登録されているキーワードとを比較して、所定の条件を満たす施設の一覧を推薦情報としてユーザＡ及びユーザＢの通信端末装置１０に提供する。
【００５７】
また、情報提供サーバ装置３０は、図２に示すように、パーティのパーティ情報の新規登録時または参加登録時でないときであっても、検索キーとなるパーティ（すなわち、パーティＩＤ）を特定すれば、推薦情報を該当する通信端末装置１０に提供することができるようになっている。
【００５８】
［２］通信端末装置の構成
次に、図３及び図４を用いて本実施形態の各通信端末装置１０の構成について説明する。なお、図３は、本実施形態の通信端末装置１０の構成を示す構成図であり、図４は、記録部１００に記憶された参加パーティ管理テーブルＴ１のデータ構成の一例を示す図である。
【００５９】
本実施形態の通信端末装置１０は、図４に示すように、記録部１００と、ネットワーク通信部１１０と、現在位置検出部１２０と、端末管理制御部１７０と、表示部１４０と、表示制御部１５０と、操作部１６０と、端末管理制御部１７０と、撮像／画像データ生成部１８０と、を有している。なお、上記の各部は、バスＢによって相互に接続され、各構成要素間におけるデータの転送が実行される。
【００６０】
記録部１００は、例えばハードディスクドライブ（以下、「ＨＤＤ」と略す。）及びＮＡＮＤ型などの不揮発性フラッシュメモリによって構成される。また、記録部１００は、コメントデータ生成部１３０、端末管理制御部１７０、撮像／画像データ生成部１８０におけるワークエリアとしてのＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）も含まれる。
【００６１】
また、記録部１００は、アプリケーション記録部１０１と、管理テーブル記録部１０２と、を少なくとも含む。
【００６２】
アプリケーション記録部１０１には、ブラウザ、その他、通信端末装置１０の各部が各種処理を実行するために必要となる様々なアプリケーション（以下、「アプリ」という。）が記録されるとともに、当該通信端末装置１０のユーザに対応したユーザＩＤが記録されている。
【００６３】
特に、このアプリケーション記録部１０１には、新規なパーティを作成し、パーティ情報を情報提供サーバ装置３０に新規登録するパーティ登録処理、既に登録されたパーティに参加登録するパーティ参加登録処理、及び、情報提供サーバ装置３０から推薦情報を取得する推薦情報取得処理を実行するためのパーティ登録／情報提供アプリが記憶されている。
【００６４】
管理テーブル記録部１０２には、自機のユーザが主催者となって、登録したパーティ情報を管理するための参加パーティ管理テーブルＴ１が記憶される。例えば、参加パーティ管理テーブルＴ１には、図４に示すように、
（１）登録するパーティのパーティＩＤと、
（２）パーティ名と、
（３）パーティ開催会場の開催位置情報（緯度情報及び経度情報）と、
（４）パーティ日時情報（パーティ開始時刻及びパーティ終了時刻）と、
（５）パーティ参加者のユーザＩＤ（自己以外のユーザＩＤ、または、予め定められたハンドルネーム）と、
の５つのデータが対応付けられて格納（記録）される。
【００６５】
なお、パーティ日時情報は、日時を含む開始時刻及び終了時刻に代えて、開催期間が規定された情報、または、予め一日（２４時間）を複数の時間帯に分けて（早朝、午前中、昼、午後、夕方、夜及び深夜など）当該時間帯を示す情報であってもよいし、曜日、平日また休日を示す種別、開始日時と期間、または、これらの組み合わせであってもよい。
【００６６】
ネットワーク通信部１１０は、ネットワーク２０に接続される基地局５０を介して情報提供サーバ装置３０と通信チャネルを構築し、コンテンツデータの共有を行うための種々のデータの授受を行う。
【００６７】
現在位置検出部１２０は、パーティ登録／情報提供アプリの指示の下、所定のタイミング毎に通信端末装置１０の現在位置を検出しつつ、当該現在位置示す位置情報を生成する。
【００６８】
例えば、現在位置検出部１２０は、新規のパーティのパーティ情報を情報提供サーバ装置３０に登録するタイミングにおいて、図１に示すＧＰＳ（Ｇｌｏｂａｌ  Ｐｏｓｉｔｉｏｎｉｎｇ  Ｓｙｓｔｅｍ）衛星４０の位置を認識しつつ、当該ＧＰＳ衛星４０から送信された衛星信号（ＧＰＳ信号）を検出する。そして、現在位置検出部１２０は、検出したＧＰＳ信号に基づいて自機の現在位置の座標値（例えば、緯度及び経度）を算出（すなわち、検出）し、当該座標値を現在位置情報として端末管理制御部１７０に提供する。
【００６９】
なお、通信端末装置１０が、電話機能を有している場合には、現在位置検出部１２０は、長距離無線システムにおいて用いられる、三点測量法、すなわち、電話に用いる電波を電話基地局において受信した方角と電波強度に基づいて自機の現在位置を検出してもよい。
【００７０】
また、パーティ開催会場Ｘが屋内の場合には、現在位置検出部１２０は、例えばワイヤレスＬＡＮ用の信号を送受信する図示しないアクセスポイントとの電波強度その他の信号及び情報を利用して現在位置の検出を行ってもよい。
【００７１】
表示部１４０は、例えば、液晶素子またはＥＬ（Ｅｌｅｃｔｒｏ  Ｌｕｍｉｎｅｓｃｅｎｃｅ）素子のパネルによって構成され、表示制御部１５０において生成された表示データに基づいて所定の画像を表示する。
【００７２】
表示制御部１５０は、表示部１４０に表示させるために必要な表示データを生成するようになっており、生成された表示データを当該表示部１４０に出力する。
【００７３】
操作部１６０は、各種の確認ボタン、各操作指令を入力する操作ボタン、テンキーなどの多数のキー及びタッチパネルにより構成され、各操作を行う際に用いられるようになっている。
【００７４】
コメントデータ生成部１３０は、操作部１６０に対するユーザの入力にしたがって、少なくともテキストデータを含むコメントデータを生成し、端末管理制御部１７０に供給する。
【００７５】
撮像／画像データ生成部１８０は、端末管理制御部１７０の制御の下、光学システムと、該光学システムから入力された光学画像を電気信号に変換するＣＣＤＩセンサ（Ｃｈａｒｇｅ  Ｃｏｕｐｌｅｄ  Ｄｅｖｉｃｅ  Ｉｍａｇｅ  Ｓｅｎｓｏｒ）と、ＣＣＤＩセンサにおいて生成された電気信号に基づいて撮像された撮像対象を画像データとして生成する生成部と、を有する。
【００７６】
端末管理制御部１７０は、主に中央演算処理装置（ＣＰＵ）によって構成されるとともに、キー入力ポート、表示制御ポート等の各種入出力ポートを含み、通信端末装置１０の全般的な機能を総括的に制御する。
【００７７】
また、端末管理制御部１７０は、アプリケーション記録部１０１に記憶されたパーティ登録／情報提供アプリなどのプログラムに基づいて、実行される各処理を実現する。例えば、端末管理制御部１７０は、パーティ登録／情報提供アプリを実行し、通信端末装置１０の各部と連動しつつ、パーティ登録処理、パーティ参加処理及び推薦情報取得処理を実行する。
【００７８】
なお、本実施形態のパーティ登録処理、パーティ参加処理及び推薦情報取得処理の動作については、後述する。
【００７９】
［３］情報提供サーバ装置の構成
次に、図５〜図１０の各図を用いて本実施形態の情報提供サーバ装置３０の構成について説明する。
【００８０】
なお、図５は、本実施形態の情報提供サーバ装置３０の構成を示す構成図であり、図６は、本実施形態におけるＳＮＳユーザ管理ＤＢ３４１に記録されるデータの一例を示す図である。また、図７は、本実施形態における施設情報ＤＢ３４２に記録されるデータの一例を示す図であり、図８は、本実施形態におけるパーティ情報ＤＢ３４３に記録されるデータの一例を示す図である。さらに、図９は、本実施形態におけるコメントデータＤＢ３４４に記録されるデータの一例を示す図であり、図１０は、本実施形態における画像ＤＢ３４５に記録されるデータの一例を示す図である。
【００８１】
本実施形態の情報提供サーバ装置３０は、図５に示すように、通信制御部３１０と、ＲＯＭ／ＲＡＭ３２０と、日時を特定するためのタイマ３３０と、各種ＤＢを有する記録装置３４０と、情報提供サーバ装置３０の各部を統合制御するサーバ管理制御部３５０と、データ処理部３６０と、を有する。上記の各部は、バスＢによって相互に接続され、各構成要素間におけるデータの転送が実行される。
【００８２】
なお、例えば、通信制御部３１０は、本発明のパーティ情報取得手段及び配信手段を構成し、記録装置３４０は、本発明の記録手段を構成する。また、例えば、データ処理部３６０は、本発明のパーティ情報登録手段と、投稿情報登録手段、施設抽出手段、パーティ特定手段、投稿情報抽出手段及び生成手段を構成する。
【００８３】
通信制御部３１０は、所定のネットワークインターフェースであり、通信端末装置１０と通信チャネルを構築し、ＳＮＳのサービス及び情報提供サービス提供を実現するために種々のデータの授受を行う。
【００８４】
ＲＯＭ／ＲＡＭ３２０には、情報提供サーバ装置３０の駆動に必要な各種のプログラムが記録されている。そして、ＲＯＭ／ＲＡＭ３２０は、各種の処理が実行される際のワークエリアとして用いられる。
【００８５】
記録装置３４０は、ＨＤＤにより構成され、その記録領域内にＳＮＳユーザ管理ＤＢ３４１、施設情報ＤＢ３４２、パーティ情報ＤＢ３４３、コメントデータＤＢ３４４及び画像ＤＢ３４５、が構築される。なお、例えば、記録装置３４０は、本発明の第１のデータベース、第２のデータベース及び施設データベースを構成する。
【００８６】
ＳＮＳユーザ管理ＤＢ３４１は、ＳＮＳの利用登録を行っている、各ユーザを管理するための各種情報がデータとして格納されるデータベースである。例えば、ＳＮＳユーザ管理ＤＢ３４１には、図６に示すように、
（１）各ユーザに対応するユーザＩＤと、
（２）ユーザＩＤにより特定されるユーザのユーザ名と、
（３）ユーザのプロフィールを表すユーザ情報と、
が対応付けて登録（記録）される。
【００８７】
施設情報ＤＢ３４２は、現実空間において存在する施設に関する情報がデータとして事前に登録されているＤＢである。例えば、施設情報ＤＢ３４２には、図７に示すように、施設毎に
（１）施設毎に付与された固有の施設ＩＤと、
（２）施設属性（すなわち、カテゴリ）と、
（３）施設の特性を表している複数のキーワードと、
（４）位置情報（緯度及び経度）と、
の４つデータが対応付けて記録される。
【００８８】
例えば、図７に示す例の場合には、施設ＩＤ「１００１」としては、施設名「居酒屋Ｐ」、属性「居酒屋」、位置情報「北緯（Ｎ）：３６．６２６／東経（Ｅ）：１３８．７２３」、特性を示すキーワード「焼き鶏」、「やきとり」「焼鳥」なる３つのキーワードにて特定される施設情報が記憶される。
【００８９】
なお、図７においては、施設ＩＤ「１００１」に対応するキーワードとして「焼き鶏」「やきとり」「焼鳥」という同一のものを指し示すキーワードが３つ登録されているが、これは、ユーザ毎に漢字表記やひらがな表記を行う等の表記揺れが発生した場合であっても、正確にコメントデータとの比較を行うためのものである。したがって、必ずしも、表記揺れに対応する構成とする必要は無い。
【００９０】
このため、施設ＩＤ「１００１」のキーワードとして「焼鳥」「もつ鍋」「焼酎」というように、異なる文字列によって構成される複数のキーワードを設定するようにすることも可能である。すなわち、実装上は、検索の正確性に合わせて、キーワードを決めることができる。そして、キーワードに関しては、当該施設の特性を表すものを用いればよく、複数である必要性も無い。
【００９１】
パーティ情報ＤＢ３４３は、作成されたパーティに対応するパーティ情報を管理するためのＤＢである。例えば、パーティ情報ＤＢ３４３には、図８に示すように、
（１）パーティＩＤと、
（２）パーティ名と、
（３）参加ユーザ情報（参加ユーザのユーザＩＤ）と、
（４）パーティの開催位置情報（緯度及び経度）と、
（５）パーティのパーティ日時情報（開始時刻及び終了時刻）と、
（６）パーティの参加ユーザに既に推薦した施設情報（推薦済み施設情報（施設ＩＤ））と、
の６つのデータが対応付けられて登録されている。
【００９２】
なお、パーティ日時情報は、通信端末装置１０と同様に、日時を含む開始時刻及び収容時刻に代えて、開催期間が規定された情報、または、予め一日（２４時間）を複数の時間帯に分けて（早朝、午前中、昼、午後、夕方、夜及び深夜など）当該時間帯を示す情報であってもよいし、曜日、平日また休日を示す種別、開始日時と期間、または、これらの組み合わせであってもよい。また、これらのパーティ情報は、通信端末装置１０の指示に基づいて登録されるようになっている。
【００９３】
コメントデータＤＢ３４４は、既に各パーティに関連する投稿された画像に基づいて各パーティへの参加ユーザが投稿したコメントデータを管理するためのＤＢである。例えば、コメントデータＤＢ３４４には、図９に示すように、
（１）コメントＩＤと、
（２）対応するパーティのパーティＩＤと、
（３）コメントに対応する画像データを識別するための画像ＩＤと、
（４）コメントを投稿したユーザのユーザＩＤと、
（５）テキストを含むコメントデータと、
（６）コメントデータの投稿（作成）日時と、
の６つのデータが対応付けて、登録されている。
【００９４】
画像データＤＢ３４５は、各パーティへの参加ユーザが投稿した画像データを管理するためのＤＢである。例えば、画像データＤＢ３４５には、図１０に示すように、
（１）投稿された画像データを識別するための画像ＩＤと、
（２）対応するパーティのパーティＩＤと、
（３）画像データに対する画像コメントのデータと、
（４）当該画像データの投稿日時と、
（５）画像データ本体と、
の５つのデータが対応付けて、登録されている。
【００９５】
サーバ管理制御部３５０は、主に中央演算処理装置（ＣＰＵ）によって構成されるとともに、プログラムを実行することによって、通信制御部３１０の動作管理、施設情報の管理を含む記録装置３４０の管理及び制御を行う。
【００９６】
データ処理部３６０は、各種のアプリケーションを実行することにより、各種の機能を実現する。特に、データ処理部３６０は、各種の機能としては、各通信端末装置１０におけるパーティ登録処理、パーティ参加登録処理、パーティ情報の登録管理、画像データまたはコメントデータのアップロード、及び、推薦情報提供処理を実行する。具体的には、データ処理部３６０は、機能別にＤＢ管理部３６１と、パーティ特定部３６２と、施設抽出部３６３と、推薦情報生成部３６４と、を少なくとも含む。
【００９７】
なお、例えば、ＤＢ管理部３６１は、本発明のパーティ情報登録手段及び投稿情報登録手段を構成し、パーティ特定部３６２は、本発明のパーティ特定手段及び投稿情報抽出手段を構成する。また、例えば、施設抽出部３６３は、本発明の施設抽出手段を構成し、推薦情報生成部３６４は、本発明の生成手段を構成する。
【００９８】
ＤＢ管理部３６１は、通信端末装置１０からの指示に基づいて、パーティ情報ＤＢ３４３にパーティ情報を新規登録するとともに、参加申請を行ったユーザのユーザＩＤに基づいて、参加ユーザ情報を更新登録する。
【００９９】
また、ＤＢ管理部３６１は、通信端末装置１０から画像データを投稿（アップロード）すべき旨の要求を受けると、当該通信端末装置１０からユーザＩＤを取得し、取得したユーザＩＤとパーティ情報の参加ユーザ情報とに基づいて、当該ユーザＩＤに対応したユーザが現在、参加しているパーティを特定する。そして、ＤＢ管理部３６１は、特定したパーティのパーティＩＤと投稿された画像データ、コメントデータが付加されている場合には当該コメントデータとを対応付けて画像データＤＢ３４５に登録する。
【０１００】
さらに、ＤＢ管理部３６１は、通信端末装置１０からコメントデータを投稿（アップロード）すべき旨の要求を受けると、画像データと同様に、当該通信端末装置１０からユーザＩＤを取得し、取得したユーザＩＤとパーティ情報の参加ユーザ情報とに基づいて、当該ユーザＩＤに対応したユーザが現在、参加しているパーティを特定する。そして、ＤＢ管理部３６１は、特定したパーティのパーティＩＤ及び画像データと投稿されたコメントデータとを対応付けてコメントデータＤＢ３４４に登録する。
【０１０１】
なお、このコメントデータ等の投稿に際して、通信端末装置１０においては、コメントデータ生成部１３０、撮像／画像データ生成部１８０またはこれらの双方が、操作部１６０に対するユーザの指示入力に従って、コメントデータ、画像データまたは双方のデータを生成した状態になっており、これらのデータが通信端末装置１０から情報提供サーバ装置３０に投稿されることになる。
【０１０２】
パーティ特定部３６２は、新規登録されたパーティの開始日時から所定の期間前（例えば、過去１ヶ月以内）に開催された過去のパーティであって、少なくとも参加ユーザの一部が一致するパーティをパーティ情報ＤＢ３４３に基づいて特定するようになっている。
【０１０３】
また、パーティ特定部３６２は、当該特定したパーティのパーティＩＤと対応付けてコメントデータＤＢ３４４または画像データＤＢ３４５に記録されているコメントデータを読み出して、ＲＯＭ／ＲＡＭ３２０に展開する。
【０１０４】
施設抽出部３６３は、ＤＢ管理部３６１と連動して、特定パーティ情報の開催位置情報（すなわちパーティ開催会場Ｘの位置）を検索キーとして施設情報ＤＢ３４２を検索し、パーティ開催会場から所定の距離範囲（例えば、半径１ｋｍ圏内）に存在する施設を抽出する。このとき、施設抽出部３６３は、当該抽出した施設に対応する施設ＩＤを施設情報ＤＢ３４２から読み出して、ＲＯＭ／ＲＡＭ３２０に展開する。
【０１０５】
推薦情報生成部３６４は、ＤＢ管理部３６１及び施設抽出部３６３と連動して、ＲＯＭ／ＲＡＭ３２０に展開されたコメントデータと、施設抽出部３６３によって抽出された抽出施設に対応するキーワードとを比較する。
【０１０６】
そして、推薦情報生成部３６４は、特定されたコメントデータと抽出された抽出施設に対応するキーワードの両者の一致度を算出するとともに、当該一致度が予め定められた閾値を超えるなど、所定の条件を満たす施設を特定して、特定された施設に対応する推薦情報を生成し、通信制御部３１０を介して該当する通信端末装置１０に提供するように構成される。
【０１０７】
［４］通信端末装置及び情報提供サーバ装置の動作
［４．１］パーティ登録処理
次に、図１１及び図１２を用いて本実施形態において、情報提供サーバ装置３０と連動しつつ、通信端末装置１０によって実行されるパーティ登録処理（推薦情報取得処理及び推薦情報提供処理を含む）について説明する。なお、図１１及び図１２は、本実施形態の通信端末装置１０及び情報提供サーバ装置３０において実行される各処理を示すフローチャートである。
【０１０８】
本パーティ登録処理は、ユーザによって自己が所有する通信端末装置１０を用いてパーティ開催会場Ｘまたはその周辺において実行されるものとする。
【０１０９】
まず、通信端末装置１０において、端末管理制御部１７０は、操作部１６０を介してパーティ登録／情報提供アプリの起動指示を検出すると（ステップＳ１０１）、アプリケーション記録部１０１からパーティ登録／情報提供アプリを読み出して起動する（ステップＳ１０２）。このとき、端末管理制御部１７０は、ワークメモリの初期化その他の必要な処理を実行するとともに、管理テーブル記録部１０２から自己のユーザＩＤを取得する。
【０１１０】
次いで、端末管理制御部１７０は、現在位置検出部１２０に対して命令コマンドを出力し、当該現在位置検出部１２０に自機の現在位置（すなわち、パーティ開催会場Ｘまたはその付近）に対応した位置情報を検出させる（ステップＳ１０３）。
【０１１１】
次いで、端末管理制御部１７０は、表示制御部１５０及び操作部１６０と連動してパーティ名と、終了時刻などのパーティ日時情報との入力を促しつつ、パーティ情報に含まれる各情報の入力を受け付ける（ステップＳ１０４）。
【０１１２】
次いで、端末管理制御部１７０は、ネットワーク通信部１１０を介して受け付けた各情報をパーティ情報として、ユーザＩＤを付加したパーティ登録要求として情報提供サーバ装置３０に送信した後、情報提供サーバ装置３０から送信される完了通知の受信を待機する（ステップＳ１０５）。なお、このとき、端末管理制御部１７０は、受け付けた各情報をパーティ情報として記録部１００の管理テーブル記録部１０２に記憶する。
【０１１３】
次いで、情報提供サーバ装置３０においては、通信制御部３１０がパーティ登録要求を受信すると（ステップＳ２０１）、ＤＢ管理部３６１は、受信したパーティ登録要求に含まれるパーティ情報をパーティ情報ＤＢ３４３に登録する（ステップＳ２０２）。このとき、ＤＢ管理部３６１は、当該パーティに対してパーティＩＤを付与する。そして、ＤＢ管理部３６１は、付与されたパーティＩＤと開始時刻を当該パーティ情報と対応付けて記録することにより、パーティ情報ＤＢ３４３に新規に開催されるパーティとして登録する。なお、ＤＢ管理部３６１は、タイマ３３０と連動して当該パーティ情報の受信日時を特定して、当該パーティの開始時刻としてもよい。
【０１１４】
次いで、サーバ管理制御部３５０は、該当する通信端末装置１０に完了通知とパーティＩＤを送信するとともに（ステップＳ２０３）、パーティ登録処理にかかる情報提供サーバ装置３０の動作を終了させる。
【０１１５】
次いで、通信端末装置１０においては、端末管理制御部１７０は、ネットワーク通信部１１０を介して情報提供サーバ装置３０から送信された完了通知を受信すると（ステップＳ１２０）、表示制御部１５０と連動して当該完了通知を表示部１４０に表示させるとともに、受信したパーティＩＤを管理テーブル記録部１０２に記録された該当するパーティ情報と対応付けて記録させる（ステップＳ１２１）。
【０１１６】
次いで、端末管理制御部１７０は、現時点において推薦情報の提供を受けるか否かを選択させるための表示とその入力を促すための表示（以下、「推薦情報の取得確認表示」という。）をし、その入力を待機する（ステップＳ１２２）。
【０１１７】
次いで、端末管理制御部１７０は、操作部１６０からの入力を検出すると（ステップＳ１２３）、推薦情報を取得するか否かを判断する（ステップＳ１２４）。このとき、端末管理制御部１７０は、推薦情報を取得すると判断した場合には、ステップＳ１３１の処理に移行し、推薦情報を取得しないと判断した場合には、本動作を終了させる。
【０１１８】
次いで、端末管理制御部１７０は、推薦情報を取得すると判断した場合には、当該推薦情報の取得要求を、記録部１００に記憶された該当するパーティ情報のパーティＩＤとともに情報提供サーバ装置３０に送信し、推薦情報の受信を待機する（ステップＳ１３１）。
【０１１９】
次いで、情報提供サーバ装置３０においてデータ処理部３６０は、推薦情報の取得要求を受信すると（ステップＳ２２１）、受信した推薦情報の取得要求に含まれるパーティＩＤに基づいて推薦情報提供処理を実行し、推薦する施設の一覧情報を有する推薦情報を生成する（ステップＳ２２２）。
【０１２０】
なお、このとき、データ処理部３６０において実行される推薦情報提供処理の詳細について後述する。また、推薦情報が生成できなかった場合には、その旨を表示するデータを生成する。
【０１２１】
次いで、サーバ管理制御部３５０は、生成した推薦情報または推薦情報が生成できなかった旨のデータを通信端末装置１０に送信し（ステップＳ２２３）、推薦情報提供処理の動作を終了させる。
【０１２２】
最後、通信端末装置１０においては、端末管理制御部１７０が、情報提供サーバ装置３０から送信された推薦情報または当該推薦情報が生成できなかった旨を示すデータを受信すると（ステップＳ１３２）、表示制御部１５０と連動し、受信した推薦情報または推薦情報が見あたらない旨を示す情報を、ブラウザを介して表示部１４０に表示させて（ステップＳ１３３）、本動作を終了させる。
【０１２３】
［４．２］パーティ参加登録処理
次に、図１３及び図１４を用いて本実施形態において、情報提供サーバ装置３０と連動しつつ、通信端末装置１０によって実行されるパーティ参加登録処理（推薦情報取得処理及び推薦情報提供処理を含む）について説明する。なお、図１３及び図１４は、本実施形態の通信端末装置１０及び情報提供サーバ装置３０において実行される各処理を示すフローチャートである。
【０１２４】
本パーティ参加登録処理は、ユーザによって自己が所有する通信端末装置１０を用いてパーティ開催会場Ｘまたはその周辺において実行されるものとする。
【０１２５】
まず、通信端末装置１０において、端末管理制御部１７０は、操作部１６０を介してパーティ登録／情報提供アプリの起動指示を検出すると（ステップＳ３０１）、アプリケーション記録部１０１からパーティ登録／情報提供アプリを読み出して起動する（ステップＳ３０２）。このとき、端末管理制御部１７０は、ワークメモリの初期化その他の必要な処理を実行するとともに、管理テーブル記録部１０２から自己のユーザＩＤを取得する。
【０１２６】
次いで、端末管理制御部１７０は、現在位置検出部１２０に対して命令コマンドを出力し、当該現在位置検出部１２０に自機の現在位置（すなわち、パーティ開催会場Ｘまたはその付近）に対応した位置情報を検出させる（ステップＳ３０３）。
【０１２７】
次いで、端末管理制御部１７０は、ブラウザを読み出して、ネットワーク通信部１１０を介して、検出した位置情報及びユーザＩＤを付加したパーティ参加登録要求を情報提供サーバ装置３０に送信し、現在位置付近において開催されるパーティ一覧データの受信を待機する（ステップＳ３０４）。
【０１２８】
次いで、情報提供サーバ装置３０においては、パーティ参加登録要求を受信すると（ステップＳ４０１）と、サーバ管理制御部３５０が、当該パーティ参加登録要求とともに受信した位置情報に基づいてパーティ情報ＤＢ３４３を検索し、当該位置情報によって示される現実空間内の位置周辺において開催中のパーティを特定する（ステップＳ４０２）。
【０１２９】
このとき、サーバ管理制御部３５０は、既に終了時刻が過ぎて終了しているパーティについては除外する。
【０１３０】
次いで、サーバ管理制御部３５０は、特定した複数のパーティに基づいて、パーティＩＤを有するパーティ一覧データを生成するとともに（ステップＳ４０３）、当該生成したパーティ一覧データを通信端末装置１０に送信し、ユーザが参加する参加パーティが特定された参加登録情報の受信を待機する（ステップＳ４０４）。
【０１３１】
次いで、通信端末装置１０において、端末管理制御部１７０は、パーティ一覧データを受信すると（ステップＳ３１１）、表示制御部１５０と連動してパーティ一覧データに基づいて表示部１４０に当該パーティの一覧を表示させつつ、ユーザが参加するパーティの選択入力を待機する（ステップＳ３１２）。
【０１３２】
次いで、端末管理制御部１７０は、表示されたパーティ一覧の中から一のパーティが選択されたことを検出すると（ステップS３１３）、ネットワーク通信部１１０を介して選択されたパーティ（すなわち、参加パーティ）のパーティＩＤ（すなわち、参加パーティＩＤ）と自己のユーザＩＤと含む参加登録情報として情報提供サーバ装置３０に送信するとともに、情報提供サーバ装置３０から送信される完了通知の受信を待機する（ステップＳ３１４）。
【０１３３】
次いで、情報提供サーバ装置３０においては、ＤＢ管理部３６１は、参加登録情報を受信すると（ステップＳ４１１）、受信した参加登録情報に基づきパーティ情報ＤＢ３４３の参加ユーザ情報を更新登録する（ステップＳ４１２）。
【０１３４】
次いで、サーバ管理制御部３５０は、該当する通信端末装置１０に該当するパーティに対応するパーティ情報及び完了通知を送信するとともに（ステップＳ４１３）、パーティ参加登録処理にかかる情報提供サーバ装置３０の動作を終了させる。
【０１３５】
次いで、通信端末装置１０においては、端末管理制御部１７０は、ネットワーク通信部１１０を介して情報提供サーバ装置３０から送信された該当するパーティ情報及び完了通知を受信すると（ステップＳ３２０）、表示制御部１５０と連動してパーティ情報及び完了通知を表示部１４０に表示させるとともに、当該パーティ情報を管理テーブル記録部１０２に記録する（ステップＳ３２１）。
【０１３６】
次いで、端末管理制御部１７０は、現時点において推薦情報の提供を受けるか否かを選択させための表示とその入力を促すための表示（推薦情報の提供確認表示）をし、その入力を待機する（ステップＳ３２２）。
【０１３７】
次いで、端末管理制御部１７０は、操作部１６０からの入力を検出すると（ステップＳ３２３）、推薦情報を取得するか否かを判断する（ステップＳ３２４）。このとき、端末管理制御部１７０は、推薦情報を取得すると判断した場合には、ステップＳ３３１の処理に移行し、推薦情報を取得しないと判断した場合には、本動作を終了させる。
【０１３８】
次いで、端末管理制御部１７０は、推薦情報を取得すると判断した場合には、当該推薦情報の取得要求を記録部１００に記憶された該当するパーティ情報に含まれるパーティＩＤとともに情報提供サーバ装置３０に送信し、推薦情報の受信を待機する（ステップＳ３３１）。
【０１３９】
次いで、情報提供サーバ装置３０においては、サーバ管理制御部３５０は、推薦情報の取得要求を受信すると（ステップＳ４２１）、受信した推薦情報の取得要求に含まれるパーティＩＤに基づいて推薦情報提供処理を実行し、推薦する施設の一覧情報を有する推薦情報を生成する（ステップＳ４２２）。
【０１４０】
なお、このとき、データ処理部３６０において実行される推薦情報提供処理の詳細について後述する。また、推薦情報が生成できなかった場合には、その旨を表示するデータを生成する。
【０１４１】
次いで、サーバ管理制御部３５０は、生成した推薦情報または推薦情報が生成できなかった旨のデータを通信端末装置１０に送信し（ステップＳ４２３）、推薦情報提供処理の動作を終了させる。
【０１４２】
最後に、通信端末装置１０においては、端末管理制御部１７０が、情報提供サーバ装置３０から送信された推薦情報または当該推薦情報が生成できなかった旨を示すデータを受信すると（ステップＳ３３２）、表示制御部１５０と連動し、受信した推薦情報または推薦情報が見あたらない旨を示す情報を、ブラウザを介して表示部１４０に表示させて（ステップＳ３３３）、本動作を終了させる。
【０１４３】
［４．３］推薦情報提供処理
次に、図１５を用いて本実施形態において、情報提供サーバ装置３０における推薦情報提供処理について説明する。なお、図１５は、本実施形態の情報提供サーバ装置３０における推薦情報提供処理を示すフローチャートである。
【０１４４】
本動作は、通信端末装置１０から、上述のパーティ登録処理に基づく推薦情報の取得要求、パーティ参加登録処理に基づく推薦情報の取得要求、または、当該パーティ登録処理もしくはパーティ参加登録処理とは無関係に実行された推薦情報の取得要求（以下、単に「単独要求」）に基づいて実行される。なお、各推薦情報の取得要求には、ユーザＩＤ、及び、検索キーとなる特定パーティ情報のパーティＩＤが含まれる。
【０１４５】
また、施設情報ＤＢ３４２には、予め複数の施設情報が記録されているとともに、パーティ情報ＤＢ３４３にも、予め複数のパーティ情報が記録されているものとする。
【０１４６】
まず、ＤＢ管理部３６１が、通信制御部３１０を介して通信端末装置１０から送信された推薦情報の取得要求が受信され、推薦情報提供処理の実行を検出すると（ステップＳ５０１）、当該推薦情報の取得要求とともに受信したパーティＩＤによってパーティ情報ＤＢ３４３を検索し、当該ユーザの参加しているパーティのパーティ情報（すなわち、特定パーティ情報）を特定する（ステップＳ５０２）。
【０１４７】
次いで、施設特定部３６３が、特定した特定パーティ情報に含まれる開催位置情報に基づいて、施設情報ＤＢ３４２を検索し、当該パーティの開催場所周辺(例えば、１ｋｍ圏内)に存在する施設を抽出し、当該抽出した抽出施設の抽出ＩＤを読み出して、ＲＯＭ／ＲＡＭ３２０に展開する（ステップＳ５０３）。
【０１４８】
このとき、データ処理部３６０は、当該特定された抽出施設の中に当該ユーザのユーザＩＤに基づいて、パーティ情報ＤＢ３４３を検索し、当該ユーザが過去に参加したパーティのパーティ情報と対応付けて推薦済み施設情報として所定の施設ＩＤが登録されている場合には、当該施設を抽出対象から除外する（ステップＳ５０４）。
【０１４９】
次いで、パーティ特定部３６２が、特定された特定パーティ情報の参加ユーザ情報に含まれるユーザＩＤ（すなわち、参加ユーザのユーザＩＤ）に基づいて、パーティ情報ＤＢ３４３を検索し、当該ユーザＩＤが完全一致する（現在から所定期間内の）過去に開催されたパーティを特定する（ステップＳ５０５）。
【０１５０】
次いで、パーティ特定部３６２が、特定された特定パーティ情報に対応するパーティＩＤと対応付けてコメントデータＤＢ３４４または画像データＤＢ３４５に記録されたコメントデータを抽出する（ステップＳ５０６）。
【０１５１】
次いで、推薦情報生成部３６４は、抽出施設の施設ＩＤに対応するキーワードを施設情報ＤＢ３４２から読み出して、当該各キーワードと抽出したコメントデータと、を比較して一致度を算出する（ステップＳ５０７）。
【０１５２】
なお、一致度の算出方法は任意であり、例えば、キーワードを構成する文字列とコメントデータに含まれる文字列との完全一致、または、一部一致の各々にスコアを付けて、スコアの合計値を一致度とするようにしてもよいし、従来の検索エンジンと同様にキーワード検索を行うようにしてもよい。
【０１５３】
次いで、推薦情報生成部３６４は、算出された一致度が予め定められた条件を満たす抽出施設の有無を判定する（ステップＳ５０８）。このとき、推薦情報生成部３６４は、予め定められた条件を満たす抽出施設が無いと判定した場合には、ステップＳ５１１の処理に移行し、予め定められた条件を満たす抽出施設があると判定した場合には、ステップＳ５２１の処理に移行する。
【０１５４】
次いで、推薦情報生成部３６４は、既にステップＳ５１２においてパーティ情報ＤＢ３４３の再検索処理（以下、単に「再検索処理」という。）を実行したか否かを判定し（ステップＳ５１１）、未だ再検索処理を実行していないと判定した場合には、ステップＳ５１２の処理に移行し、既に再検索処理を実行していると判定した場合には、本動作を終了させる。
【０１５５】
次いで、推薦情報生成部３６４は、未だ再検索処理を実行していないと判定した場合には、特定した特定パーティ情報の参加ユーザ情報に含まれるユーザＩＤに基づいて、パーティ情報ＤＢ３４３を再検索して、参加ユーザのユーザＩＤのいずれかが一致する現在から所定の期間内の過去に開催されたパーティを特定し（ステップＳ５１２）、ステップＳ５０６の処理に移行する。ただし、このとき、推薦情報生成部３６４は、参加ユーザのユーザＩＤが完全一致する過去に開催されたパーティについては除外する。
【０１５６】
一方、推薦情報生成部３６４は、ステップＳ５０８の処理において、予め定められた条件を満たす抽出施設があると判定した場合には、当該条件を満たす施設の施設情報を施設情報ＤＢ３４２から読み出しつつ、抽出された施設情報に基づいて、推薦する施設の一覧情報である推薦情報を生成し（ステップＳ５２１）、推薦情報提供処理を終了させる。
【０１５８】
なお、サーバ管理制御部３５０は、推薦情報提供処理を終了させると、生成した推薦情報または該当する施設が存在しない旨のデータを、推薦情報の取得要求のあった通信端末装置１０に送信する（ステップＳ２２３及びＳ４２３）。
【０１５９】
以上、本実施形態の通信システム１、通信端末装置１０及び情報提供サーバ装置３０は、ユ加ユーザの少なくとも一部が一致する特定パーティを特定して、当該特定パーティに対応するコメントデータと施設のキーワードを比較することができるので、例えば、ユーザによって開催された現実空間上におけるパーティの開催位置から所定の距離範囲(例えば１ｋｍ圏内)に存在する施設の中から、ユーザの嗜好に合致する施設のみを適切に推薦することができるとともに、当該推薦された情報を利用することによって、現実社会におけるユーザ間の交流を支援し、または、ＳＮＳなどの仮想空間における交流を活性化することができる。
【０１６０】
また、本実施形態の通信システム１、通信端末装置１０及び情報提供サーバ装置３０は、パーティの開催位置を入力させることなく、通信端末装置１０の位置に基づいて当該パーティ開催会場Ｘを特定することができるので、パーティ情報を登録する際のユーザの操作を簡易することができる。
【０１６１】
また、本実施形態の通信システム１、通信端末装置１０及び情報提供サーバ装置３０は、既ワードとして同一のもの（例えば、「焼き鶏」）について異なる表記に対応したキーワードを設定できるため、ユーザのコメントに表記揺れがある場合であっても、正確に推薦施設を特定することができる。
【０１６２】
なお、上記実施形態においては、情報提供サーバ装置３０にＳＮＳユーザ管理ＤＢ３４１、コメントデータＤＢ３４４及び画像データＤＢ３４５を設け、情報提供サーバ装置３０によりＳＮＳのサービスを提供するようにしているが、これらのＤＢを他のコンピュータシステムに設け、ＳＮＳ専用のサーバ装置として機能させて、このＳＮＳ専用サーバと情報提供サーバ装置３０が連携することによって上記の機能を実現するようにしてもよい。
【０１６３】
また、上記実施形態においては、パーティ情報の登録後に参加ユーザ情報を更新することにより、パーティ情報の登録後であっても、他のユーザが当該パーティに参加できる構成としたが、ユーザが増加した度に、パーティを作り直すようにしてもよい。
【符号の説明】
【０１６４】
１０  …  通信端末装置
２０  …  ネットワーク
３０  …  情報提供サーバ装置
１００  …  記録部
１０１  …  アプリケーション記録部
１０２  …  管理テーブル記録部
１１０  …  ネットワーク通信部
１２０  …  現在位置検出部
１３０  …  コメントデータ生成部
１４０  …  表示部
１５０  …  表示制御部
１６０  …  操作部
１７０  …  端末管理制御部
１８０  …  撮像部
３１０  …  通信制御部
３２０  …  ＲＯＭ/ＲＡＭ
３３０  …  タイマ
３４０  …  記録装置
３４１  …  ＳＮＳユーザ管理ＤＢ
３４２  …  パーティ情報ＤＢ
３４３  …  施設情報ＤＢ
３４４  …  コメントデータＤＢ
３４５  …  画像データＤＢ
３５０  …  サーバ管理制御部
３６０  …  データ処理部
３６１  …  ＤＢ管理部
３６２  …  グループ特定部
３６３  …  施設特定部
３６４  …  推薦情報生成部
【図１】
0005888057.tif 000002
【図２】
0005888057.tif 000003
【図３】
0005888057.tif 000004
【図４】
0005888057.tif 000005
【図５】
0005888057.tif 000006
【図６】
0005888057.tif 000007
【図７】
0005888057.tif 000008
【図８】
0005888057.tif 000009
【図９】
0005888057.tif 000010
【図１０】
0005888057.tif 000011
【図１１】
0005888057.tif 000012
【図１２】
0005888057.tif 000013
【図１３】
0005888057.tif 000014
【図１４】
0005888057.tif 000015
【図１５】
0005888057.tif 000016